(57)【特許請求の範囲】
【請求項１】
一定の領域のデータを収集する１つ以上の送信側及び前記送信側から前記データを受信する受信側の間のデータ信号を中継する中継器において、
受信したデータ信号であって、最初の情報及び前記最初の情報以降のデータ信号を含むデータ信号をフィルタリング及び増幅する第１信号処理部と、
前記受信したデータ信号の前記最初の情報に基づいて、前記受信したデータ信号が特定のローカルのデータであるか否かを判断するデータ選別処理部と、
前記受信したデータ信号の前記最初の情報を前記データ選別処理部に提供する第１経路を形成したり、前記最初の情報以降のデータ信号を伝送する第２経路を形成する経路制御部と、
前記第２経路を通じて伝送される前記最初の情報以降のデータ信号を増幅して送出する第２信号処理部とを含み、
前記データ選別処理部が前記受信したデータ信号が特定のローカルのデータであると判断すると同時に、前記経路制御部によって形成される前記第２経路を通じて、前記受信したデータ信号の前記最初の情報以降のデータ信号が前記第２信号処理部に伝送されて増幅されることを特徴とする中継器。
【請求項２】
前記経路制御部は、
前記受信したデータ信号の最初の情報を感知して、データ信号の選別のために、前記第１経路を通じて前記データ選別処理部に前記最初の情報を伝送し、前記最初の情報以降のデータ信号を増幅するために、前記第２経路を通じて前記最初の情報以降のデータ信号を前記第２信号処理部に伝送するスイッチング制御部と、
前記スイッチング制御部の制御によって前記最初の情報及び前記最初の情報以降のデータ信号の伝達経路を前記第１経路又は前記第２経路に設定するスイッチと
を含むことを特徴とする請求項１記載の中継器。
【請求項３】
前記データ選別処理部は、
前記最初の情報を受信して、前記データ信号が前記特定のローカルのデータ信号であるか否かを判断するための識別情報を抽出する分析部と、
前記データ信号が特定のローカルのデータである場合には、前記スイッチの第２経路が導通されるようにする制御信号を前記スイッチング制御部に伝送する処理部と、
前記データ信号が特定のローカルのデータであるか否かを判断することができるように、前記識別情報及び前記識別情報に予め設定された識別情報をマッチングさせて保存するメモリ部と、
を含むことを特徴とする請求項２記載の中継器。
【請求項４】
前記スイッチの第１経路が導通された時に前記最初の情報が前記分析部に伝送され、
前記スイッチの第２経路が導通された時に前記最初の情報以降のデータ信号が前記第２信号処理部に伝送されることを特徴とする請求項３に記載の中継器。
【請求項５】
前記データ信号はフレーム基盤の信号であり、前記最初の情報はフレームデータのヘッダ部分であることを特徴とする請求項１乃至４のいずれか１項に記載の中継器。
【請求項６】
前記データ信号はフレーム基盤の信号であり、前記最初の情報は前記送信側で収集したデータを含むデータ信号の前端に受信される経路制御信号であることを特徴とする請求項１乃至４のいずれか１項に記載の中継器。
【請求項７】
前記経路制御信号は、
前記受信されるデータ信号が特定のローカルのデータであるか否かを判断するための識別情報及び前記スイッチの第２経路導通維持期間の情報を含むことを特徴とする請求項６記載の中継器。
【請求項８】
前記スイッチの第２経路導通維持期間の間に、
前記経路制御信号以降の少なくとも１つのフレームデータが前記第２信号処理部に伝送されることを特徴とする請求項７記載の中継器。
【請求項９】
前記受信したデータ信号が特定のローカルデータでないと判断した場合には、前記データ選別処理部は前記データ信号の中継を終了することを特徴とする請求項１乃至８のいずれか１項に記載の中継器。
【請求項１０】
一定の領域のデータを収集する１つ以上の送信側及び前記送信側から前記データを受信する受信側の間のデータ信号を中継する中継器の中継方法において、
受信したデータ信号であって、最初の情報及び前記最初の情報以降のデータ信号を含むデータ信号の前記最初の情報を感知する段階と、
前記最初の情報に含まれている識別情報を利用して、前記受信したデータ信号が特定のローカルのデータであるか否かを判断する段階と、
前記受信したデータ信号が特定のローカルのデータである場合には、前記最初の情報以降のデータ信号を増幅して送出する段階とを含み、
前記受信したデータ信号が特定のローカルのデータであると判断すると同時に、前記最初の情報以降のデータ信号を増幅する段階が行われることを特徴とする中継器の中継方法。
【請求項１１】
前記最初の情報は、フレームデータのヘッダ部分または経路制御信号であることを特徴とする請求項１０記載の中継器の中継方法。
【請求項１２】
前記受信したデータ信号が特定のローカルのデータであるか否かを判断する段階は、
前記ヘッダ部分に含まれている識別情報を抽出する段階と、
前記抽出された識別情報及び予め設定された識別情報を比較して前記受信したデータ信号が特定のローカルのデータであるか否かを判断する段階と
を含むことを特徴とする請求項１１記載の中継器の中継方法。
【請求項１３】
前記受信したデータ信号が特定のローカルのデータであるか否かを判断する段階は、
前記経路制御信号に含まれている識別情報及びデータ受信維持時間の情報を抽出する段階と、
前記抽出された識別情報及び予め設定された識別情報を比較して前記受信したデータ信号が特定のローカルのデータであるか否かを判断する段階と
を含むことを特徴とする請求項１１記載の中継器の中継方法。
【請求項１４】
前記最初の情報以降のデータ信号の増幅は、
前記データ受信維持時間の間に前記経路制御信号以降のデータ信号を増幅することを特徴とする請求項１３記載の中継器の中継方法。
【請求項１５】
前記経路制御信号以降のデータ信号は、少なくとも１つのフレームデータであることを特徴とする請求項１４記載の中継器の中継方法。
【請求項１６】
前記データ受信維持時間の情報は、前記送信側で計算されて、前記経路制御信号に含まれることを特徴とする請求項１３記載の中継器の中継方法。
【請求項１７】
前記受信したデータ信号が特定のローカルのデータでないと判断した場合には、前記データ選別処理部が前記データ信号の中継を終了する中継終了段階を含むことを特徴とする請求項１０乃至１６のいずれか１項に記載の中継器の中継方法。
【発明の詳細な説明】
【技術分野】
【０００１】
本発明は、無線データ伝送システムに関し、より詳細には、センサーネットワークでデータ信号を中継する中継器及びその中継方法に関する。
【背景技術】
【０００２】
無線通信技術の発達によって、最近では、使用者が場所に関係なく通信ネットワークに接続することができる情報通信環境が提供されている。特に、近距離無線通信技術の発達は、知能型ホームネットワーク、ビルなどの産業用機器の自動化、環境モニタリング、軍事、テレマティクス、及びセキュリティサービスなどの多様なサービス技術が使用者の実生活に適用されるようにした。
【０００３】
このうちの近距離無線通信技術を利用したセンサーネットワークで、使用者は、遠隔感知、遠隔監視、遠隔制御などを行うサービスの提供を受けることができる。このようなセンサーネットワークは、１つ以上のシンクノード(sink node)と、感知されたデータを自己が位置する領域を担当するシンクノードに伝送する複数のセンサーノードを含んでいる。この時、センサーノードは、使用者が設定したターゲット領域に関する情報（例えば、ターゲット領域の温度、湿度、物体の移動、またはガスの流出など）を収集して、シンクノードに伝送する。
【０００４】
ここで、複数のセンサーノードのうちのシンクノードから一定の距離以内に位置するセンサーノードは、データをシンクノードに直接伝送することができる。しかし、シンクノードから一定の距離以内に位置しないセンサーノードは、感知されたデータを中継器を通じてシンクノードに伝送しなければならない。
【０００５】
一般に、センサーネットワークにおける中継器は、複数のセンサーノードからフレーム基盤のデータを受信して増幅して、シンクノードに伝送する。この時、中継器のデータ信号中継方式は、特定のローカル（使用者が設定した領域）のセンサーノードから受信されたデータであることが確認されたデータだけを増幅して、シンクノードに伝送するデータ選択中継方式である。
【０００６】
この背景技術の欄で開示された上記情報は、本発明の背景を理解し易くするためだけのものであるから、この国において当業者に既に知られている従来技術を形成しない情報が含まれることもある。
【発明の開示】
【発明が解決しようとする課題】
【０００７】
しかし、従来の中継器のデータ選択方式は、データ信号の完全なフレームを受信した後で、特定のローカルのセンサーノードから受信されたデータであることを示す特定の識別子を抽出する。しかし、このように１フレーム全体を受信した後で特定の識別子を抽出する方式では、データの伝送遅延が発生するようになって、送受信データの間の干渉によるデータのわい曲が発生する。また、複数のセンサーノードのデータを中継する際に、データ間の時間的誤差が発生して、データの重畳現象が発生することがある。
【０００８】
本発明が目的とする技術的課題は、センサーネットワークで時間遅延を減少させることができるデータ送受信及び円滑なデータ送受信のための中継器、及びその中継方法を提供することにある。
【課題を解決するための手段】
【０００９】
このような技術的課題を達成するために、本発明の実施例による一定の領域のデータを収集する１つ以上の送信側及び前記送信側から前記データを受信する受信側の間のデータ信号を中継する中継器は、受信したデータ信号であって、最初の情報及び前記最初の情報以降のデータ信号を含むデータ信号をフィルタリング及び増幅する第１信号処理部、前記受信したデータ信号の前記最初の情報に基づいて、前記受信したデータ信号が特定のローカルのデータであるか否かを判断するデータ選別処理部と、前記受信したデータ信号の前記最初の情報を前記データ選別処理部に提供する第１経路を形成したり、前記最初の情報以降のデータ信号を伝送する第２経路を形成する経路制御部、前記第２経路を通じて伝送される前記最初の情報以降のデータ信号を増幅して送出する第２信号処理部とを含み、前記データ選別処理部が前記受信したデータ信号が特定のローカルのデータであると判断すると同時に、前記経路制御部によって形成される前記第２経路を通じて、前記受信したデータ信号の前記最初の情報以降のデータ信号が前記第２信号処理部に伝送されて増幅される。
【００１０】
また、本発明の実施例による一定の領域のデータを収集する１つ以上の送信側及び前記送信側から前記データを受信する受信側の間のデータ信号を中継する中継器の中継方法は、受信したデータ信号であって、最初の情報及び前記最初の情報以降のデータ信号を含むデータ信号の前記最初の情報を感知する段階、前記最初の情報に含まれている識別情報を利用して、前記受信したデータ信号が特定のローカルのデータであるか否かを判断する段階、及び前記受信したデータ信号が特定のローカルのデータである場合には、前記最初の情報以降のデータ信号を増幅して送出する段階とを含み、前記受信したデータ信号が特定のローカルのデータであると判断すると同時に、前記最初の情報以降のデータ信号を増幅する段階が行われる。
【発明の効果】
【００１１】
本発明によれば、センサーネットワーク上の中継器から受信されるデータ信号の最初の情報だけを確認して、増幅するデータ信号であるか否かを判別して、データ信号を増幅することができる。
【００１２】
このようにすることによって、データの選別による伝送遅延を減少させて、送受信されるデータのわい曲を防止して、円滑なデータ信号の送受信を可能にする効果がある。
【発明を実施するための最良の形態】
【００１３】
以下、添付した図面を参照して、本発明の実施の形態について、本発明が属する技術分野で通常の知識を有する者が容易に実施することができるように詳細に説明する。しかし、本発明は、多様な相異した形態で具現され、ここで説明する実施の形態に限定されない。そして、図面では、本発明を明確に説明するために、説明に不必要な部分は省略し、明細書全体を通して類似した部分には、類似した図面符号を付けた。
【００１４】
また、ある部分がある構成要素を「含む」とする時、これは特に反対の記載がない限り、他の構成要素を排除するのではなく、他の構成要素をさらに含むことを意味する。
【００１５】
図１は本発明の実施の形態による中継器の構成を概略的に示したブロック図である。
【００１６】
図１に示したように、センサーネットワーク上の中継器は、第１アンテナ１００、第１信号処理部１１０、経路制御部１２０、データ選別処理部１３０、第２信号処理部１４０、及び第２アンテナ１５０を含む。
【００１７】
まず、第１アンテナ１００は、センサーネットワーク上のセンサーノードからデータ信号を受信して、第１信号処理部１１０に伝達する。この時、受信されるデータ信号は、ＲＦ（高周波）信号である。
【００１８】
第１信号処理部１１０は、受信した微弱なデータ信号を増幅及びフィルタリングして、経路制御部１２０に伝達する。この時、経路制御部１２０に伝達される信号は、受信されるデータ信号の最初の情報部分であって、フレームデータのヘッダ部分または経路制御信号である。ここで、経路制御信号は、センサーノードで生成して、データの前端に送信する信号であって、センサーノードが属する特定のローカルの識別情報を含む。
【００１９】
このような第１信号処理部１１０は、図面には詳細に示さなかったが、ＲＦ端及びＩＦ（中間周波数）端を含む。ここで、ＲＦ端は、センサーノードから受信されるデータのＲＦ信号周波数を中間周波数にダウンコンバージョン(down conversion)し、ＩＦ端は、このように中間周波数にダウンコンバージョンされた信号からフレームデータを検出する。
【００２０】
経路制御部１２０は、前記第１信号処理部１１０から伝達されるデータ信号を感知すれば、データ信号の最初の情報をデータ選別処理部１３０に伝送する。また、経路制御部１２０は、データ選別処理部１３０から受信したデータ伝達経路制御信号によって最初の情報以降のデータ信号の伝達経路を設定する。
【００２１】
データ選別処理部１３０は、経路制御部１２０から受信されるデータ信号の最初の情報を利用して、受信したデータ信号が特定のローカルのデータであるか否かを判断し、受信したデータ信号が特定のローカルのデータである場合には、最初の情報以降のデータ信号が増幅されるように制御する信号を生成して、経路制御部１２０に伝送する。
【００２２】
第２信号処理部１４０は、経路制御部１２０から伝達される最初の情報以降のデータ信号を増幅して、第２アンテナ１５０を通じて送出する。
【００２３】
このような第２信号処理部１４０は、図面には詳細に示さなかったが、第１信号処理部１１０の内部構成の逆方向にＩＦ端及びＲＦ端を含む。つまり、第２信号処理部１４０のＩＦ端を通じて最初の情報以降のフレームデータが中間周波数信号に変換され、ＲＦ端を通じて中間周波数からＲＦ周波数信号にアップコンバージョン(up conversion)される。
【００２４】
第２アンテナ１５０は、第２信号処理部１４０で信号処理されたデータをシンクノードに送出する。
【００２５】
この時、図１の第１及び第２信号処理部で、ＩＦ端及びＲＦ端以外の周波数フィルタリングするフィルター及び信号を増幅する増幅器などの内部構成に対する内容は、当業者であれば簡単に分かる内容であるので、詳細な説明は省略する。
【００２６】
図２は図１に示した経路制御部及びデータ選別処理部の内部構成を示したブロック図である。そして、図３（Ａ）は本発明の実施の形態によるデータ信号のフレーム構造を示した図面であり、図３（Ｂ）は本発明の実施の形態による経路制御信号のフレーム構造を示した図面である。
【００２７】
図２に示したように、本発明の実施の形態による経路制御部１２０は、スイッチング制御部１２１及びスイッチ１２２を含む。そして、データ選別処理部１３０は、分析部１３１、メモリ部１３２、及び処理部１３３を含む。
【００２８】
まず、経路制御部１２０のスイッチング制御部１２１は、第１信号処理部１１０から伝達されるデータを感知して、スイッチ１２２の第１経路（Ｉ）が導通されるように制御する。つまり、スイッチング制御部１２１は、データ信号の受信を感知すれば、スイッチ１２２が第１経路（Ｉ）を導通して、受信したデータの最初の情報をデータ選別処理部１３０の分析部１３１に伝達するように制御する。
【００２９】
また、スイッチング制御部１２１は、データ選別処理部１３０からスイッチ１２２の制御信号を受信して、最初の情報以降のデータ信号が第２信号処理部１４０に伝達されるように、スイッチ１２２の第２経路（ＩＩ）が導通されるように制御する。
【００３０】
スイッチ１２２は、第１信号処理部１１０から受信したデータ信号の伝達経路を設定する役割を果たす。つまり、スイッチ１２２は、第１経路（Ｉ）を導通することによって、データ信号の最初の情報をデータ選別処理部１３０に伝達し、第２経路（ＩＩ）を導通することによって、受信されるデータ信号の最初の情報以降のデータ信号を第２信号処理部１４０に伝達して増幅されるようにする。
【００３１】
この時、受信したデータ信号の最初の情報は、フレームデータのヘッダ部分になって、センサーノードからデータ信号を送出する時に、データ信号の前端に送信する制御経路信号になることができる。
【００３２】
具体的に、データ信号のフレームは、図３（Ａ）に示したように、データ情報を含むヘッダ（図３（Ａ）では「Ｈ」で示した）、センサーノードが収集したデータ（図３（Ａ）では「Ｄａｔａ」で示した）、及びエラーチェックのためのフレームチェックシーケンス、図３（Ａ）では「Ｆ」で示した）を有している。この時、ヘッダ部分には、受信されるデータ信号が特定のローカルのデータであるか否かを示す識別コードが含まれている。
【００３３】
経路制御信号は、フレーム基盤の信号であり、図３（Ｂ）に示したように、ヘッダ（図３（Ｂ）では「Ｈ」で示した）及びデータ（図３（Ｂ）では「Ｄａｔａ」で示した）を有している。この時、経路制御信号には、経路制御信号に続いて受信される一定の個数のフレームデータが特定のローカルのデータであることを確認するための識別コードが含まれている。また、経路制御信号には、受信される一定の個数のフレームデータが第２信号処理部１４０に伝達されるようにするためのデータ受信維持時間情報が含まれている。本発明の実施の形態では、データ受信維持時間情報が、スイッチ１２２の第２経路（ＩＩ）が導通される時間情報であるタイミング情報コードであることを例示して説明した。
【００３４】
この時、本発明の実施の形態では、フレームデータのヘッダ部分及びデータ信号の前端に受信される経路制御信号が、各々ヘッダ部分又は経路制御信号であることを示す判別コードを含んでいる。
【００３５】
次に、データ選別処理部１３０の分析部１３１は、スイッチング制御部１２１からデータ信号の最初の情報を受信して、受信されるデータ信号の識別情報を分析する。具体的に、分析部１３１は、受信した最初の情報がフレームデータのヘッダ部分である場合には、ヘッダ部分に含まれている識別コードを抽出して、処理部１３３に伝達する。
【００３６】
そして、分析部１３１は、受信した最初の情報がセンサーノードが収集した情報内容を含むデータ信号に先立って受信された経路制御信号である場合には、経路制御信号に含まれている識別コード及びタイミング情報コードを抽出して、処理部１３３に伝達する。
【００３７】
この時、分析部１３１は、最初の情報に含まれているヘッダ部分であることを示す判別コード及び経路制御信号であることを示す判別コードを抽出して、処理部１３３に伝達する。
【００３８】
メモリ部１３２には、受信したデータが特定のローカルのセンサーノードから送信されたデータであるか否かを判別する識別コードが保存されている。また、メモリ部１３２は、受信されるデータ信号の最初の情報がフレームデータのヘッダ部分であるか、経路制御信号であるか否かを判断する判別コードを含んでいる。
【００３９】
また、メモリ部１３２には、受信したデータの最初の情報が経路制御信号である場合には、この最初の信号に含まれているタイミング情報コード及びそれによるスイッチング導通維持期間が互いにマッチングされて保存されている。
【００４０】
本発明の実施の形態では、経路制御信号に含まれているタイミング情報がコード形式で保存されていることを示した。しかし、経路制御信号に続いて受信されるデータのデータ受信維持時間そのものが経路制御信号に含まれることもできる。この場合、メモリ部１３２には、タイミング情報コードとマッチングされるスイッチング導通維持期間が含まれない。この時、受信されるタイミング情報コード又はデータ受信維持時間は、センサーノードからデータ信号が伝送される時に計算されて、最初の情報に含まれる。
【００４１】
また、本発明の実施の形態では、タイミング情報コード又はデータ受信維持時間の間はスイッチ１２２の第２経路（ＩＩ）が導通された状態に維持するためのタイマー（図示せず）を含むことができる。
【００４２】
処理部１３３は、分析部１３１で抽出されたデータの識別コード及びメモリ部１３２に保存されている識別コードを比較して、受信されるデータ信号が特定のローカルのセンサーノードから受信されたデータであるか否かを判断する。この時、処理部１３３は、メモリ部１３２に保存されている判別コード及び受信したデータの最初の情報から抽出した判別コードを比較して、受信した最初の情報がフレームデータのヘッダ部分であるか、データ信号に先立って受信された経路制御信号であるか否かを判断する。そして、処理部１３３は、判別コードの比較の結果、受信した最初の情報が経路制御信号である場合には、タイミング情報コードにマッチングされたスイッチング導通維持期間情報を利用して、スイッチ１２２を制御する。
【００４３】
具体的に、処理部１３３は、識別コードの判断の結果、受信したデータが特定のローカルのセンサーノードから受信されたデータであると判断された場合には、スイッチング制御部１２１にスイッチ１２２の第２経路（ＩＩ）が導通されるようにする制御信号を伝送する。この時、処理部１３３は、分析部１３１で分析した最初の情報が経路制御信号である場合には、メモリ部１３２に保存されているタイミング情報コードにマッチングされたスイッチング導通維持期間によって、スイッチ１２２の第２経路（ＩＩ）が導通された状態に維持されるようにする制御信号を伝送する。
【００４４】
この時、データ選別処理部１３０でデータの最初の情報を判別するデータ選別処理期間は、データ信号のヘッダ部分（または経路制御信号）以降のデータ信号が受信される瞬間とほぼ同時に行われ、それによってリアルタイムでヘッダ部分（または経路制御信号）以降のデータ信号が増幅されることができる。
【００４５】
図４は本発明の実施の形態（第１実施例）による中継器がデータを選別して増幅する方法を説明するためのフローチャートである。そして、図５は本発明の実施の形態（第１実施例）による中継器のデータ選別及び増幅方法を説明するための図面である。図４では、説明の便宜のために、図２を参考にして、中継器の構成及び動作を説明する。
【００４６】
まず、センサーノードから受信されたデータ信号を経路制御部１２０が感知すれば（Ｓ２００）、経路制御部１２０は、データ信号の最初の情報のヘッダ部分をデータ選別処理部１３０に伝達する（Ｓ２１０）。つまり、経路制御部１２０は、スイッチ１２２の第１経路（Ｉ）が導通されるように制御して、受信されるデータの経路をデータ選別処理部１３０に設定する。
【００４７】
そうすると、データ信号のヘッダ部分の伝達を受けたデータ選別処理部１３０は、受信したデータが特定のローカルのデータであるか否かを判断する（Ｓ２２０）。この時、データ選別処理部１３０は、ヘッダ部分に含まれている識別コード及び設定されている識別コードを比較して、受信したデータが特定のローカルのデータであるか否かを判断する。
【００４８】
識別コードの判断の結果、受信したデータが特定のローカルのデータであると判断された場合には、ヘッダ部分以降のデータ信号を増幅する（Ｓ２３０）。つまり、データ選別処理部１３０は、受信されるデータ信号のヘッダ部分以降のデータの経路が増幅処理部（本発明の実施の形態では第２信号処理部）に設定されるようにする制御信号をスイッチング制御部１２１に伝送する。そうすると、スイッチ１２２の第２経路（ＩＩ）が導通されて、ヘッダ部分以降のデータが増幅される。
【００４９】
このように増幅されたデータは、シンクノードに送出される（Ｓ２４０）。この時、ヘッダ部分以降のデータが増幅され始める瞬間及びヘッダ部分の識別コードが判別される瞬間はほぼ同時に行われ、それによって伝送遅延を防止することができる。
【００５０】
一方、識別コードの判断の結果、受信したデータが特定のローカルのデータでないと判断された場合には、データ選別処理部１３０は、データ信号の中継を終了する。
【００５１】
例えば、１つのフレームデータが中継器に受信されると、スイッチング制御部１２１でこれを感知して、スイッチ１２２の第１経路（Ｉ）を導通する。そうすると、図５に示したように、フレームデータのヘッダ部分がデータ選別処理部１３０に伝達されて、特定のローカルのデータであるか否かが判断される。それとほぼ同時に、スイッチング制御部１２１の制御によってスイッチ１２２の第２経路（ＩＩ）が導通されて、受信したデータ信号のヘッダ部分以降のデータ信号が第２信号処理部１４０に伝達されて増幅される。
【００５２】
このようにすることによって、中継器は、時間遅延なく特定のローカルのデータ信号だけを増幅することができる。
【００５３】
図６は本発明の実施の形態の変形例（第２実施例）による中継器のデータ選別及び増幅方法を説明するためのフローチャートである。そして、図（７Ａ）及び７（Ｂ）は本発明の実施の形態の変形例（第２実施例）による中継器のデータ選別及び増幅方法を説明するための図面である。図６では、説明の便宜のために、図２を参考にして、中継器の構成及び動作を説明する。
【００５４】
まず、センサーノードから受信されたデータの最初の情報の経路制御信号を経路制御部１２０で感知すれば（Ｓ３００）、経路制御部１２０は、経路制御信号をデータ選別処理部１３０に伝達する（Ｓ３１０）。つまり、経路制御部１２０は、スイッチ１２２の第１経路（Ｉ）が導通されるように制御して、受信される経路制御信号の伝達経路をデータ選別処理部１３０に設定する。
【００５５】
経路制御信号の伝達を受けたデータ選別処理部１３０は、受信したデータが特定のローカルのデータであるか否かを判断する（Ｓ３２０）。この時、データ選別処理部１３０は、経路制御信号に含まれている識別コード及び予め設定されている識別コードを比較して、受信したデータが特定のローカルのデータであるか否かを判断する。そして、データ選別処理部１３０は、経路制御信号に含まれているタイミング情報コードによるスイッチング導通維持期間情報を抽出する。
【００５６】
識別コードの判断の結果、受信したデータが特定のローカルのデータであると判断された場合には、経路制御信号に続いて一定の時間の間受信されるデータ信号を増幅する（Ｓ３３０）。つまり、データ選別処理部１３０は、経路制御信号以降に受信されるデータ信号の経路が増幅処理部（本発明の実施の形態では第２信号処理部）に設定されるようにする制御信号をスイッチング制御部１２１に伝送する。この時、データ選別処理部１３０は、スイッチング導通維持期間によってスイッチ１２２の第２経路（ＩＩ）が導通されるように制御する信号をスイッチング制御部１２１に伝送する。このようにすることによって、経路制御信号以降に受信される一定の個数のデータ信号が増幅されることができる。この時、経路制御信号以降に受信されるデータ信号は、１つ以上のフレームデータでありうる。
【００５７】
このように増幅されたデータ信号は、シンクノードに送出される（Ｓ３４０）。
【００５８】
この時、識別コードの判断の結果、受信したデータが特定のローカルのデータでないと判断された場合には、データ選別処理部１３０は、データ信号の中継を終了する。
【００５９】
例えば、図７（Ａ）に示したように、経路制御信号が中継器に受信され、続けて複数のフレームデータ（特定のローカルのセンサーノードで収集した情報データを含む）が中継器に受信される。この時、スイッチング制御部１２１は、最初に受信される経路制御信号を感知して、スイッチ１２２の第１経路（Ｉ）を導通する。
【００６０】
そうすると、図７（Ｂ）に示したように、受信した経路制御信号がデータ選別処理部１３０に伝達されて、それ以降に受信されるデータ信号が特定のローカルのデータ信号であるか否かが判断される。このように、受信されるデータ信号が特定のローカルのデータ信号であると判断される場合には、スイッチング制御部１２１は、データ選別処理部１３０の制御信号を受信して、スイッチ１２２の第２経路（ＩＩ）が導通されるように制御する。つまり、経路制御信号に続いて受信される複数のデータ信号が順次に第２信号処理部１４０に伝達されて増幅される。
【００６１】
この時、経路制御信号以降のデータ信号が増幅され始める瞬間及びデータの選別処理が完了する瞬間はほぼ同時に行われるようになり、それによって伝送遅延を防止することができる。また、受信されるデータ信号の選別処理が１つのフレーム単位で処理されず、複数のフレームがリアルタイムで増幅されるので、円滑なデータ信号の送受信が可能である。
【００６２】
一方、本発明の実施の形態では、センサーノードから受信されたデータを選別して増幅して、シンクノードに伝送する方法を示した。しかし、このようなデータ信号の選別及び増幅方法は、シンクノードから受信されるデータにも適用され、増幅されたデータがセンサーノードに伝送されるは当然だ。
【００６３】
以上で、本発明の実施の形態について詳細に説明したが、本発明の権利範囲はこれに限定されず、請求の範囲で定義している本発明の基本概念を利用した当業者の多様な変形及び改良形態も、本発明の権利範囲に属する。
【図面の簡単な説明】
【００６４】
【図１】本発明の実施の形態による中継器の構成を概略的に示したブロック図である。
【図２】図１に示した経路制御部及びデータ選別処理部の内部構成を示したブロック図である。
【図３】（Ａ）は本発明の実施の形態によるデータ信号のフレーム構造を示した図である。（Ｂ）は本発明の実施の形態による経路制御信号のフレーム構造を示した図である。
【図４】本発明の実施の形態（第１実施例）による中継器のデータ選別及び増幅方法を説明するためのフローチャートである。
【図５】本発明の実施の形態（第１実施例）による中継器のデータ選別及び増幅方法を説明するための図である。
【図６】本発明の実施の形態の変形例（第２実施例）による中継器のデータ選別及び増幅方法を説明するためのフローチャートである。
【図７】（Ａ）は本発明の実施の形態の変形例（第２実施例）による中継器のデータ選別及び増幅方法を説明するための図である。（Ｂ）は本発明の実施の形態の変形例（第２実施例）による中継器のデータ選別及び増幅方法を説明するための図である。
【符号の説明】
【００６５】
１００  第１アンテナ
１１０  第１信号処理部
１２０  経路制御部
１２１  スイッチング制御部
１２２  スイッチ
１３０  データ選別処理部
１３１  分析部
１３２  メモリ部
１３３  処理部
１４０  第２信号処理部
１５０  第２アンテナ
【図１】
0004674230.tif 000002
【図２】
0004674230.tif 000003
【図３】
0004674230.tif 000004
【図４】
0004674230.tif 000005
【図５】
0004674230.tif 000006
【図６】
0004674230.tif 000007
【図７】
0004674230.tif 000008